(57)【要約】【課題】精度の高いドロップアウト検出信号を生成する。【解決手段】記録トラックから情報を読み取るピックアップ１５と、読み取られた情報からウオブル信号を検出するウオブル信号検出手段１６と、検出されたウオブル信号をデジタル信号に変換するＡ／Ｄ変換手段１７と、デジタル化されたウオブル信号の周波数解析を行う周波数解析手段２１と、周波数解析結果に基づいてディスク１３上の傷を判別して傷判別信号を出力する傷予測手段２２とを備える。【選択図】  図１
2004348800.tif 000002
【特許請求の範囲】
【請求項１】
蛇行した記録トラックを有するディスクからウオブル信号を再生する情報再生装置において、
前記記録トラックから情報を読み取る読取手段と、
前記読み取られた情報からウオブル信号を検出するウオブル信号検出手段と、
前記検出されたウオブル信号をデジタル信号に変換するＡ／Ｄ変換手段と、
前記デジタル化されたウオブル信号の周波数解析を行う周波数解析手段と、
前記周波数解析結果に基づいて前記ディスク上の傷を判別して傷判別信号を出力する傷予測手段と、
を備える情報再生装置。
【請求項２】
前記傷予測手段は、ウオブル信号の周波数解析で得られる周波数分布から周期的な傷を予測し、傷位置を再生する前に前記傷予測信号を出力する請求項１に記載の情報再生装置。
【請求項３】
前記傷判別信号をイネーブル信号として、前記ウオブル信号の振幅補正を行う振幅補正手段を備える請求項１または２に記載の情報再生装置。
【請求項４】
蛇行した記録トラックを有するディスクからウオブル信号を再生する情報再生装置において、
前記記録トラックから情報を読み取る読取手段と、
前記読み取られた情報からウオブル信号を検出するウオブル信号検出手段と、
前記検出されたウオブル信号をデジタル信号に変換するＡ／Ｄ変換手段と、
前記デジタル化されたウオブル信号の周波数解析を行う周波数解析手段と、
前記周波数解析結果に基づいて前記ディスクを回転させるモータの回転制御を行うモータ制御手段と、
を備える情報再生装置。
【請求項５】
請求項１から３のいずれか一項に記載の情報再生装置により得られた傷判定信号を記録用クロック生成用ＰＬＬ回路のホールド信号に用いるディスク記録装置。
【発明の詳細な説明】
【０００１】
【発明の属する技術分野】
本発明は、ＣＤ−Ｒ等に代表される記録可能な光ディスクから変調された情報データを再生する光ディスク記録再生装置に係り、特に光ディスク上の蛇行した記録トラックからＷｏｂｂｌｅ（以降、ウオブルと称する）信号を再生する情報再生装置に関する。
【０００２】
【従来の技術】
従来より、記録可能な光ディスクには、追記型（Ｗｒｉｔｅ  Ｏｎｃｅ）と、書き換え可能型（Ｅｒａｓａｂｌｅ）とがある。これらの記録可能な光ディスクには、ディスク上の絶対アドレス情報やディスクに記録する上の最適レーザパワー等がバイフェーズ変調され、さらにこれがＦＭ変調されて記録トラック上の小さな蛇行（ウオブル）として、あらかじめディスク上に記録されている。これはＡＴＩＰ（Ａｂｓｏｌｕｔｅ  Ｔｉｍｅ  Ｉｎ  Ｐｒｅｇｒｏｏｖｅ）と呼ばれるもので、ＣＤ−Ｒを通常線速度で再生した場合、ウオブルの中心周波数は２２．０５［ｋＨｚ］となる。
【０００３】
ＣＤ−Ｒディスクでは、記録時及び再生時共に、上記中心周波数２２．０５  ［ｋＨｚ］のウオブル信号を再生することでＡＴＩＰ情報を検出しており、特に記録時においては記録位置の確認にＡＴＩＰ情報を用いる他に手段がなく、安定したＡＴＩＰ情報の検出がディスクへの記録品質向上を考える上において必要不可欠である。
【０００４】
図５は、従来の光ディスク再生装置の主要構成例を示すブロック図である。図５において、１は記録用光ディスク、２は光ディスク１を回転させるためのスピンドルモータ、３はスピンドルモータ２の回転を制御するためのモータ回転制御回路、４はレーザピックアップ、５はウオブル信号検出回路、６は検出したウオブル信号の中から所定の周波数成分のみ抽出するためのバンドパスフィルタ  （ＢＰＦ）、７はウオブル信号を２値化するウオブル２値化回路、８はＡＴＩＰアドレス情報検出回路を示し、９はＡＴＩＰアドレスデータ、１０はドロップアウト信号である。
【０００５】
以下、上記構成の従来技術による情報再生装置の動作について説明する。モータ回転制御回路３は、スピンドルモータ２の回転に伴い発生するパルス信号（図示せず）に基づいてスピンドルモータ２の回転数に応じた信号（図示せず）を生成し、これを所定の目標値と比較して回転誤差信号（図示せず）を生成し、この信号にフィルタ処理等を施すことで、スピンドルモータ制御信号を得る。この制御信号によってスピンドルモータ２を所定の速度で駆動することができる。
【０００６】
スピンドルモータの駆動方法としては、ＡＴＩＰアドレス情報検出回路８によって生成されるＡＴＩＰ情報の中に含まれるＳｙｎｃ（同期）信号を用いて、このＳｙｎｃ信号がある所定の目標時間おきに検出されるようにスピンドルモータ２の回転速度を制御する回路も、一般的に広く知られている。
【０００７】
また、レーザピックアップ４が出力するフォーカス誤差信号及びトラッキング誤差信号を入力とし、サーボ回路（図示せず）によってこれらの信号に対して位相補償等を施し、その出力信号に基づいてレーザピックアップ４のアクチュエータ（図示せず）を駆動することにより、対物レンズを動かして光ビームスポットを記録用光ディスク１の記録面に追従させると共に、記録トラックに追従させる制御が行われる。
【０００８】
レーザピックアップ４により検出された信号はウオブル信号検出回路５に入力され、ウオブル信号検出回路５は入力検出信号より記録用光ディスク１のウオブル信号を検出する。図６はこの時のレーザピックアップ４の動きを説明する図である。
【０００９】
図６において、１１は記録面上に集光されたレーザビームスポット、１２は記録用光ディスク１上に生成されているウオブルである。矢印が示すのは記録用光ディスク１の回転に伴ってレーザビームスポット１１が記録面上を相対的に移動する方向である。トラッキング制御が正常にかかっている場合は、レーザビームスポット１１は記録用光ディスク１上の目標トラック上を正確にトレースして矢印の方向に進む。
【００１０】
通常のトラッキングの追従周波数は、ウオブル中心周波数（２２．０５［ｋＨｚ］）に比べて十分に遅く、そのためトラッキング制御はウオブル信号にほとんど追従しない。したがってウオブル信号はトラッキング誤差成分であると解釈することが可能である。トラッキング誤差成分の検出回路については、ここでは言及しない。
【００１１】
このようにして検出されたトラッキング誤差信号の中から、ウオブル信号のみを抽出するための回路としてＢＰＦ６が用いられる。ＢＰＦ６の中心通過周波数は、１倍速の再生時で２２．０５［ｋＨｚ］である。これはウオブル信号の中心周波数に他ならない。ＢＰＦ６の出力信号は、バイフェーズ復調のためのウオブル２値化回路７へと入力される。
【００１２】
ウオブル２値化回路７から出力される２値化データの品質は、ＡＴＩＰアドレス情報の品質、或いは記録動作中のスピンドルモータ制御の品質に大きな影響を及ぼしている。そのため、この２値化データの品質向上のために、様々な手法が考案されている。一つの方法として、ウオブル信号の中心周波数帯域のＳ／Ｎ比の向上を図ることで２値化データの精度を向上させることが知られている（特許文献１参照）。
【００１３】
ウオブル２値化回路７から出力される２値化データは、ＡＴＩＰアドレス情報検出回路８へと入力される。ＡＴＩＰアドレス情報検出回路８でバイフェーズ復調及びＦＭ復調処理を施してアドレスデータ９を生成する。ウオブル２値化データは、中心周波数２２．０５［ｋＨｚ］（１倍速再生時）である特性を利用することで、ＡＴＩＰアドレス情報検出回路８はドロップアウト信号１０を生成することが可能である。
【００１４】
ドロップアウト信号１０は、記録用光ディスク１からウオブル信号が、正常に再生されなかったことを示す信号である。ドロップアウト信号１０は、記録用光ディスク１への記録を行う際に、非常に重要な役割を担っている。なぜならドロップアウト信号１０が検出されるということは、光ディスク１上のウオブル信号を正常に再生することができなかったことを示し、その影響により記録用クロック生成用ＰＬＬがロック状態から外れ、暴走する恐れがあるからである。
【００１５】
【特許文献１】
特開２００２−６３７６６号公報  （第３頁、第１図）
【００１６】
【発明が解決しようとする課題】
そのためドロップアウト検出信号は、記録用ＰＬＬのホールド信号等に応用されている。しかしながら、ドロップアウト検出信号１０は、ウオブル信号を２値化した後に生成しているため検出精度に問題があり、そのため記録用クロックの品質劣化等を招き、ひいては記録精度の劣化を引き起こす原因となっていた。
【００１７】
本発明は、上記事情に鑑みてなされたもので、精度の高いドロップアウト検出信号を生成することができる情報再生装置を提供することを目的とする。
【００１８】
【課題を解決するための手段】
請求項１の情報再生装置は、蛇行した記録トラックを有するディスクからウオブル信号を再生する情報再生装置において、前記記録トラックから情報を読み取る読取手段と、前記読み取られた情報からウオブル信号を検出するウオブル信号検出手段と、記検出されたウオブル信号をデジタル信号に変換するＡ／Ｄ変換手段と、前記デジタル化されたウオブル信号の周波数解析を行う周波数解析手段と、前記周波数解析結果に基づいて前記ディスク上の傷を判別して傷判別信号を出力する傷予測手段とを備える。
【００１９】
上記構成によれば、ウオブル信号の周波数解析結果に基づいてディスク上の傷の有無を判別する傷判別信号を生成しているため、生成した傷判別信号を利用してドロップアウト検出信号を生成することで、精度の高いドロップアウト検出信号を生成することができる。
【００２０】
請求項２の情報再生装置は、請求項１の情報再生装置において、前記傷予測手段は、ウオブル信号の周波数解析で得られる周波数分布から周期的な傷を予測し、傷位置を再生する前に前記傷予測信号を出力するものである。
【００２１】
上記構成によれば、傷位置を再生する前に傷予測信号を出力させることで、この傷予測信号の出力を検出して記録用クロック生成用ＰＬＬ回路をホールドする等すればＰＬＬ回路の暴走が回避することができる。
【００２２】
請求項３の情報再生装置は、請求項１または２に記載の情報再生装置において、前記傷判別信号をイネーブル信号として、前記ウオブル信号の振幅補正を行う振幅補正手段を備える。
【００２３】
上記構成によれば、傷判定信号が入力される期間、ウオブル信号の振幅を正常ウオブル信号と同程度に修復して、ウオブル信号の欠損を無くすことができ、安定なウオブル信号の再生を行うことができる。
【００２４】
請求項４の情報再生装置は、蛇行した記録トラックを有するディスクからウオブル信号を再生する情報再生装置において、前記記録トラックから情報を読み取る読取手段と、前記読み取られた情報からウオブル信号を検出するウオブル信号検出手段と、前記検出されたウオブル信号をデジタル信号に変換するＡ／Ｄ変換手段と、前記デジタル化されたウオブル信号の周波数解析を行う周波数解析手段と、前記周波数解析結果に基づいて前記ディスクを回転させるモータの回転制御を行うモータ制御手段とを備える。
【００２５】
上記構成によれば、ウオブル信号の周波数解析結果に基づいてモータの回転制御を行うことで、ディスクを線速度一定で制御することができる。
【００２６】
【発明の実施の形態】
図１は、本発明の第１の実施の形態の情報再生装置を示すブロック図である。図１において、１３は蛇行した記録トラックを有する記録用光ディスク、１４は光ディスク１３を回転させるためのスピンドルモータ、１５は記録トラックから情報を読み取るレーザピックアップ、１６はウオブル信号を検出するウオブル信号検出手段、１７はウオブル信号をデジタル信号に変換するＡ／Ｄ変換手段、１８は検出したウオブル信号の中から所定の周波数成分のみ抽出するためのバンドパスフィルタ（ＢＰＦ）、１９はウオブル２値化手段、２０はＡＴＩＰデコーダ、２１は離散デジタル値に変換されたウオブル信号の周波数解析を行う周波数解析手段、２２は周波数解析手段２１から出力された解析結果に基づいて光ディスク１３上の傷を予測する傷予測手段、２３はＡＴＩＰアドレスデータ、２４はドロップアウト信号、２５は傷予測手段２２から出力される傷判別信号である。
【００２７】
図１において、光ディスク１３は、スピンドルモータ１４により駆動されて回転し、回転する光ディスク１３上をレーザピックアップ１５がトレースし、レーザピックアップ１５により検出された信号がウオブル信号検出手段１６へ入力される。ウオブル信号検出手段１６は入力されたレーザピックアップ１５の検出信号からウオブル信号を検出し、Ａ／Ｄ変換手段１７に出力する。Ａ／Ｄ変換手段１７はウオブル信号を離散デジタルデータに変換する。Ａ／Ｄ変換手段１７のサンプリング周波数、出力ビット数について、ここでは言及しないが、ウオブル信号が２２．０５±１［ｋＨｚ］であることを考慮すれば、１倍速の再生時において４８［ｋＨｚ］以上のサンプリング周波数であることが望ましい。
【００２８】
離散デジタル値に変換されたウオブル信号は、中心周波数２２．０５［ｋＨｚ］で帯域制限されたＢＰＦ１８へ入力され、ＡＴＩＰデコードに必要な信号以外のノイズ成分はここで除去される。この信号は２値化手段１９へと入力され、ＡＴＩＰデコーダ２０によってデコードされ、ＡＴＩＰデコーダ２０はＡＴＩＰアドレスデータ２３及びドロップアウト信号２４を出力する。
【００２９】
また、Ａ／Ｄ変換手段１７によって離散デジタル値に変換されたウオブル信号は周波数解析手段２１へ入力される。周波数解析手段の一つの例として、ＦＦＴ（高速フーリエ変換）処理が挙げられる。
【００３０】
ここで、光ディスク１３上に、直径が１［ｍｍ］の傷がある場合を考える。ＣＤの場合、規格上、トラックピッチは１．６［μｍ］で規定されているため、直径が１［ｍｍ］の傷は、トラック６２５本に亙っていることになる。１倍速の再生であれば、その再生時間は、ディスクの最内周時において、（２５×２×π×６２５）／１．２×１０３＝８２［ｓ］、ディスクの最外周時に至っては、（５０×２×π×６２５）／１．２×１０３＝１６３［ｓ］にも及ぶ。
【００３１】
光ディスク１３上のある位置に傷が存在する場合、光ディスク１３の再生によるウオブル信号はある周波数特性を持っている。先程の例のように直径１［ｍｍ］の傷が一つある場合、最内周であれば１倍速時において１．２×１０３／（２５×２×π）＝７．６［Ｈｚ］、最外周であれば１．２×１０３／（５０×２×π）＝３．８［Ｈｚ］のピークが立つ。
【００３２】
光ディスク１３上に複数の傷があり、光ディスク１３が１周回転する間に、複数個の傷の上をレーザピックアップ１５がトレースした場合は、先程の周波数成分に、トレースした傷の個数を乗算した値の周波数成分が観測される。このような場合においても、ウオブル信号の中心周波数２２．０５［ｋＨｚ］とは、十分に離れており、周波数解析結果の低周波域成分は傷による応答であると考えることができる。
【００３３】
傷予測手段２２は、周波数解析手段２１の出力結果の中から、主に低周波域のピークに着目する。低周波域において、ある閾値以上のピークが見られる場合、ディスク１上に傷があると認識して、傷判別信号２５を出力する。
【００３４】
さらに、ウオブル信号の周波数解析を実施することにより、光ディスク１３上の周期的な傷を予測し、傷位置の再生直前に傷予測信号２５を出力することも可能である。
【００３５】
先程の例にも挙げた通り、直径１［ｍｍ］の傷がディスク上に形成されている場合、６２５本のトラックに亙って傷が存在することになる。つまり、６２５回に亙ってほぼ一定時間ごとに傷位置をトレースすることになる。最外周に傷が存在する場合、先程の計算によると３．８［Ｈｚ］のスペクトルが立つことになるが、これは、１／３．８＝０．２６［ｓ］おきに傷位置をトレースしていることに等しい。
【００３６】
つまり、ある位置の傷を検出した後、０．２６［ｓ］後にも傷位置を再生するという予測が立てられることになる。このように、ウオブル信号の周波数解析の結果から、傷の周波数分布を算出し、その結果から周期的な傷を予測し、傷位置を再生する直前に傷予測信号２５を出力することができる。
【００３７】
本実施の形態によれば、ウオブル信号の周波数解析を実施することにより、光ディスク１３上の傷の有無を判別することが可能となる。傷判別信号２５と、ドロップアウト信号２４を組み合わせることで、より精度の高いドロップアウト信号を生成することができる。
【００３８】
ところで、光ディスク記録装置のクロック信号発生装置では、ディスク上のトラックのウオブルからウオブル信号を再生し、ウオブル信号に同期した記録クロック信号を生成する。この記録クロック信号をもとにしてデータを光ディスクの所望の位置に記録する。その際、精度の高いドロップアウト信号を記録用クロック生成用ＰＬＬ回路のホールド（ＨＯＬＤ）信号等に利用することで、記録用クロック生成用ＰＬＬ回路がロック状態から外れるようなことを確実に防止でき、安定且つ精度の高い記録動作を実現することができると共に、記録品質の向上を図ることができる。
【００３９】
図２は、本発明の第２の実施の形態の情報再生装置を示すブロック図である。図２において、２６は蛇行した記録トラックを有する記録用光ディスク、２７は記録用光ディスク２６を回転させるためのスピンドルモータ、２８は記録トラックから情報を読み取るレーザピックアップ、２９はウオブル信号を検出するウオブル信号検出手段、３０は検出ウオブル信号をデジタル信号に変換するＡ／Ｄ変換手段、３１は離散デジタル値に変換されたウオブル信号の周波数成分を解析する周波数解析手段、３２は周波数解析手段から出力された解析結果に基づいて光ディスク２６上の傷を予測する傷予測手段、３３はＡ／Ｄ変換手段３０の出力デジタル値の振幅を補正する振幅補正手段、３４は検出したウオブル信号の中から所定の周波数成分のみ抽出するためのＢＰＦ、３５はウオブル２値化手段、３６はＡＴＩＰデコーダ、３７はＡＴＩＰアドレスデータ、３８は傷予測手段３２から出力されるドロップアウト信号である。
【００４０】
ここで、直径１［ｍｍ］の傷が、記録可能な光ディスク上に形成された場合の、ウオブル信号の欠損の大きさについて考える。ＣＤの線速度を１．２［ｍ／ｓ］とすると、直径１［ｍｍ］の傷は、１／１２００［ｓ］のデータ欠損となる。これは、ウオブル周波数を２２．０５［ｋＨｚ］とした場合、２２．０５×１０３／１２００＝１８．３７５周期のウオブルデータの欠損となり、ＡＴＩＰデコーダ３６のＡＴＩＰアドレスデータの品質を大きく劣化させることになる。このようなウオブル信号の欠損を、本実施の形態によって回避することを可能としている。
【００４１】
次に本実施の形態の動作について説明する。スピンドルモータ２７により駆動されて回転する光ディスク２６上をレーザピックアップ２８がトレースし、その検出信号がウオブル信号検出手段２９へ入力される。
【００４２】
ウオブル信号検出手段２９はレーザピックアップ２８の検出信号よりウオブル信号を検出し、このウオブル信号はＡ／Ｄ変換手段３０により離散デジタルデータに変換される。Ａ／Ｄ変換手段３０のサンプリング周波数は、第１の実施の形態と同様に１倍速の再生時において４８［ｋＨｚ］以上のサンプリング周波数であることが望ましい。Ａ／Ｄ変換手段３０によって離散デジタル値に変換されたウオブル信号は、周波数解析手段３１へ入力される。周波数解析手段３１の一つの例として、ＦＦＴ（高速フーリエ変換）処理が挙げられる。
【００４３】
光ディスク２６上のある位置に傷が存在する場合、そのディスクの再生により得られるウオブルデータは、ある周波数特性を持っていて、第１の実施の形態と同様の考察により、直径１ｍｍの傷が一つある場合、最内周であれば１倍速時において７．６［Ｈｚ］、最外周であれば３．８［Ｈｚ］のピークが立つ。光ディスク２６上に複数の傷があり、光ディスク２６が１周回転する間に、複数個の傷の上をレーザピックアップ２８がトレースした場合は、先程の周波数成分に、トレースした傷の個数を乗算した値の周波数成分が観測される。このような場合においても、ウオブル信号の中心集周波数２２．０５［ｋＨｚ］とは、十分に離れており、周波数解析結果の低周波域成分は、傷による応答であると考えることができる。
【００４４】
傷予測手段３２は、周波数解析手段３１の出力結果の中から、主に低周波域のピークに着目する。低周波域において、ある閾値以上のピークが見られる場合、光ディスク２６上に傷があると認識し、傷判別信号２５を出力する。振幅補正手段３３には、傷予測手段３２より出力された傷判別信号２５及びＡ／Ｄ変換手段３０より出力された離散デジタル値に変換されたウオブル信号が入力される。この場合、傷判別信号２５は振幅補正手段３３の補正イネーブル信号として用いられる。
【００４５】
振幅補正手段３３は、ウオブル信号の振幅値を算出する。ウオブル信号は通常のアナログ音声信号等とは異なり、周波数、振幅共に大きな変動がない。このウオブル信号の持つ規則性を利用し、例えば振幅値がある一定の振幅に満たない場合は、傷等による信号の欠落とみなし、振幅値を補正することが可能である。補正イネーブル信号を受けた振幅補正手段３３は、その区間のみ振幅値の補正を行う。
【００４６】
図３は、振幅補正手段３３における振幅値の補正方法の一例である。３９は正しいウオブル信号のサンプリングデータ、４０は傷等によって正しくウオブル信号が再生されなかった場合のサンプリングデータ、４１はサンプリングデータ４０を補正した修正サンプリングデータである。
【００４７】
ここで、ｎ番目のサンプリングデータをＳｎとする。このとき、Ｓｎ−（Ｓｎ−１）なる演算を実施する。演算結果が正の値であれば傾きが正、負であれば傾きが負であることが判り、演算結果が正から負に変化する点が正の最大振幅値、負から正に変化する点が負の最大振幅点であると考えることができる。振幅補正手段３３はこのようにして求めた最大振幅点と、あらかじめ定めたΔＡｍａｘ、ΔＡｍｉｎなる閾値の大小を比較し、サンプリングデータの最大振幅値が閾値に満たない場合に、データを補正して、最大振幅値の補正を実施することが可能となる。
【００４８】
すなわち、振幅補正手段３３は、図３（ａ）に示すような正しいウオブル信号のサンプリングデータ３０が入力される場合は何もせず、そのままこのデータをＢＰＦ３４に出力する。しかし、振幅補正手段３３は、図３（ｂ）に示すような異常のあるウオブル信号のサンプリングデータ３０が入力される場合、サンプリングデータを補正して、図３（ｃ）に示すような修正したサンプリングデータ４１をＢＰＦ３４に出力する。
【００４９】
本実施の形態によれば、振幅補正手段３３によるデータ修正の結果、傷があるディスクにおいても、ウオブル信号の欠損を最小限に抑えて安定なウオブル信号の再生を行うことができ、これにより安定したＡＴＩＰデコードを実現することができるため、ＡＴＩＰアドレスデータ３７の品質劣化を抑えて記録品質の向上を図ることができる。また、スピンドルモータ２７の制御品質を向上させることもできる。
【００５０】
さらに、振幅補正手段３３によりウオブルデータが修正されることで、ドロップアウト状態に陥り難くなり、ＡＴＩＰデコードをさらに安定化させることができる。
【００５１】
図４は、本発明の第３の実施の形態に係る情報再生装置のブロック図である。図４において、４２は記録用光ディスク、４３はレーザピックアップ、４４はウオブル信号検出手段、４５は検出ウオブル信号をデジタルデータに変換するためのＡ／Ｄ変換手段、４６は離散デジタル値に変換されたウオブル信号の周波数成分を解析する周波数解析手段、４７はスピンドルモータ４８を駆動するためのモータ制御手段、４８は記録用光ディスク４２を回転させるためのスピンドルモータである。
【００５２】
スピンドルモータ４８により駆動されて回転する光ディスク４２上をレーザピックアップ４３がトレースし、その出力信号がウオブル信号検出手段４４へ入力される。ウオブル信号検出手段４４はレーザピックアップ４３の検出信号からウオブル信号をする。検出されたウオブル信号は、Ａ／Ｄ変換手段４５へ入力されて離散デジタルデータに変換される。
【００５３】
ここで、Ａ／Ｄ変換手段４５のサンプリング周波数、出力ビット数について、第１の実施の形態と同様に、１倍速の再生時において４８［ｋＨｚ］以上のサンプリング周波数であることが望ましい。
【００５４】
Ａ／Ｄ変換手段４５によって離散デジタル値に変換されたウオブル信号は、周波数解析手段４６へ入力される。周波数解析手段４６の一つの例として、ＦＦＴ（高速フーリエ変換）処理が挙げられる。周波数解析手段４６の出力を見ると、ウオブル信号の特性上、１倍速の再生が正常に行われているならば、２２．０５［ｋＨｚ］のピークが立つ。逆に言えば、ピークが２２．０５［ｋＨｚ］に立っているならば、光ディスク４２は１倍速で再生されていると言ってよい。
【００５５】
周波数解析手段４６のウオブル信号の解析情報はモータ制御手段４７に入力されるため、モータ制御手段４７は解析情報のピーク値に着目して、ピーク値が目標周波数よりも低い場合は、スピンドルモータ４８に加速信号を、ピーク値が目標周波数よりも高い場合は、スピンドルモータ４８に減速信号を与えることにより、スピンドルモータ４８を常に目標値で回転させる制御を行うことにより、光ディスク４２を線速度一定で回転させる。
【００５６】
本実施の形態によれば、ウオブル信号の中心周波数からのずれが生じないようにスピンドルモータ４８の回転を制御して、光ディスク４２の回転を線速度一定に制御することができる。
【００５７】
なお、ｎ倍速の再生を実施する場合は、ピーク値が２２．０５×ｎ［ｋＨｚ］  となるようにスピンドルモータ４８の制御信号を生成すれば良い。
【００５８】
【発明の効果】
本発明によれば、ウオブル信号の周波数解析結果に基づいてディスク上の傷の有無を判別する傷判別信号を生成しているため、生成した傷判別信号を利用してドロップアウト検出信号を生成することで、精度の高いドロップアウト検出信号を生成することができる。
【図面の簡単な説明】
【図１】本発明の第１の実施の形態の情報再生装置の構成を示すブロック図。
【図２】本発明の第２の実施の形態の情報再生装置の構成を示すブロック図。
【図３】図２に示す振幅補正手段の動作を説明する図。
【図４】本発明の第３の実施の形態の情報再生装置の構成を示すブロック図。
【図５】従来の光ディスク再生装置の構成を示すブロック図。
【図６】レーザピックアップのディスク上のウオブルに対するトレース状態を示す図。
【符号の説明】
１３、２６、４２  記録用光ディスク
１４、２７、４８  スピンドルモータ
１５、２８、４３  レーザピックアップ
１６、２９、４４  ウオブル信号検出手段
１７、３０、４５  Ａ／Ｄ変換手段
１８、３４  ＢＰＦ
１９、３５  ウオブル２値化手段
２０、３６  ＡＴＩＰデコーダ
２１、３１、４６  周波数解析手段
２２、３２  傷予測手段
３３  振幅補正手段
４７  モータ制御手段
【図１】
2004348800.tif 000003
【図２】
2004348800.tif 000004
【図３】
2004348800.tif 000005
【図４】
2004348800.tif 000006
【図５】
2004348800.tif 000007
【図６】
2004348800.tif 000008